(57)【要約】      （修正有）【課題】対物レンズからの反射の影響を排除しつつ、同時に波面検出光の欠落を生じさせない技術を提供する。【解決手段】対物レンズ１０３と、対物レンズ１０３を介して被検眼１０１の眼底１０１ａに測定光を照射する波面計測投影系３０と、前記測定光の眼底１０１ａからの反射光を受光し被検眼１０１の屈折特性を検出する波面計測検出系４０と、光軸上で移動可能で、絞り径を可変できる可変光学絞り４３とを備え、光軸上における可変光学絞り４３の位置が眼底１０１ａの眼底共役位置にない第１の状態において、前記絞り径を相対的に大きくし、光軸上における可変光学絞り４３の位置が眼底１０１ａの眼底共役位置にある第２の状態において、前記絞り径を相対的に小さくする。【選択図】図１
2018042646.tif 000002
【特許請求の範囲】
【請求項１】
対物レンズと、
前記対物レンズを介して被検眼の眼底に測定光を照射する照射光学系と、
前記測定光の前記眼底からの反射光を受光し被検眼の屈折特性を検出する眼屈折特性検出系と、
光軸上で移動可能で、絞り径を可変できる可変光学絞りと
を備え、
前記光軸上における前記可変光学絞りの位置が前記眼底の眼底共役位置にない第１の状態において、前記絞り径を相対的に大きくし、
前記光軸上における前記可変光学絞りの位置が前記眼底の眼底共役位置にある第２の状態において、前記絞り径を相対的に小さくすることを特徴とする眼科装置。
【請求項２】
前記第１の状態において、前記被検眼の乱視が判定され、
前記第２の状態において、前記被検眼の屈折の状態が測定されることを特徴とする請求項１に記載の眼科装置。
【請求項３】
前記被検眼の屈折の状態を測定する際において、
前記被検眼の乱視が所定値を超える場合に、前記絞り径を前記被検眼に乱視がない場合よりも大きな値とすることを特徴とする請求項１または２に記載の眼科装置。
【請求項４】
前記可変光学絞りは、エレクトロウェッティング現象を利用して透明な液滴の径を制御する光学装置であることを特徴とする請求項１〜３のいずれか一項に記載の眼科装置。
【発明の詳細な説明】
【技術分野】
【０００１】
本発明は、眼科装置に関する。
【背景技術】
【０００２】
被検眼の屈折の状態を測定する眼科装置が知られている（例えば特許文献１を参照）。この技術では、眼底に測定光を照射し、その反射光をハルトマン板に導き、ハルトマン板を通過することで得られるハルトマン像をエリアセンサで検出する。そして、エリアセンサで検出されるハルトマン像に基づき、被検眼の収差の情報を取得する。
【０００３】
上記の技術では、測定光の対物レンズでの反射や角膜での反射がエリアセンサに届き、それがゴーストとして検出される問題がある。このゴーストは、被検眼内部で生じる収差を反映したものではなく、上述した被検眼の屈折の状態に係る情報を阻害する。
【０００４】
角膜の反射は、角膜に入射する光束の位置を角膜の中心からわずかに偏心させる方法で対処できる。この技術では、角膜からの反射光が眼科装置の光軸に対して角度を持ち、検出光学系の有効範囲外に逃げるので、眼科測定における角膜からの反射光の影響が抑えられる。
【０００５】
しかしながら、同様な手法は、対物レンズからの反射の影響を抑えるのには適当でない。これは、角膜に比較して対物レンズの曲率が小さく、また透過する光束径が大きいため、同様な方法で反射光を回避しようとすると必要な偏心量が大きくなり過ぎ、測定結果への悪影響が生じるからである。
【０００６】
対物レンズからの反射光を抑える技術としては、（１）対物レンズの表面に反射防止膜を形成する方法、（２）投影系に偏光板を配置し偏光ビームスプリッターと組み合わせて対物レンズ表面や角膜による反射光が検出系に入らないようにする方法がある。
【０００７】
しかしながら、反射防止膜を設ける方法は、反射光の発生を完全に抑えることはできず、またコスト増となる問題がある。偏光を利用する方法も偏光板の性能が完全ではなく、また偏光の乱れもあるので、その効果は完全ではない。
【０００８】
また、対物レンズからの反射光を抑える技術として、光軸上の反射光束が集光する位置に黒点を配置し、ゴーストの要因となる当該反射光を黒点で遮蔽し、検出されないようにする技術がある（例えば、特許文献２を参照）。
【先行技術文献】
【特許文献】
【０００９】
【特許文献１】特開２０１２−７５４９１号公報
【特許文献２】特開２００９−１７２１５５号公報
【発明の概要】
【発明が解決しようとする課題】
【００１０】
上記の黒点を配置する技術では、黒点により波面検出光の一部が遮られる。この現象は、被検眼の検査情報の欠落につながるので、黒点をゴースト光が集光する位置に配置し、極力波面検出光を遮らないようにしている。しかしながら、眼底共役位置は、被検眼の度数によって光軸上を移動するので、被検眼の度数によって黒点の位置における波面検出光の光束径は異なり、上記の検査情報の欠落の程度も被検眼の度数によって変化する。
【００１１】
このような背景において、本発明は、対物レンズからの反射の影響を排除しつつ、同時に波面検出光の欠落を生じさせない技術を提供することを目的とする。
【課題を解決するための手段】
【００１２】
請求項１に記載の発明は、対物レンズと、前記対物レンズを介して被検眼の眼底に測定光を照射する照射光学系と、前記測定光の前記眼底からの反射光を受光し被検眼の屈折特性を検出する眼屈折特性検出系と、光軸上で移動可能で、絞り径を可変できる可変光学絞りとを備え、前記光軸上における前記可変光学絞りの位置が前記眼底の眼底共役位置にない第１の状態において、前記絞り径を相対的に大きくし、前記光軸上における前記可変光学絞りの位置が前記眼底の眼底共役位置にある第２の状態において、前記絞り径を相対的に小さくすることを特徴とする眼科装置である。
【００１３】
請求項２に記載の発明は、請求項１に記載の発明において、前記第１の状態において、前記被検眼の乱視が判定され、前記第２の状態において、前記被検眼の屈折の状態が測定されることを特徴とする。
【００１４】
請求項３に記載の発明は、請求項１または２に記載の発明において、前記被検眼の屈折の状態を測定する際において、前記被検眼の乱視が所定値を超える場合に、前記絞り径を前記被検眼に乱視がない場合よりも大きな値とすることを特徴とする。
【００１５】
請求項４に記載の発明は、請求項１〜３のいずれか一項に記載の発明において、前記可変光学絞りは、エレクトロウェッティング現象を利用して透明な液滴の径を制御する光学装置であることを特徴とする。
【発明の効果】
【００１６】
本発明によれば、対物レンズからの反射の影響を排除しつつ、同時に波面検出光の欠落を生じさせない技術が得られる。
【図面の簡単な説明】
【００１７】
【図１】実施形態における眼科装置の概念図である。
【図２】実施形態における可変光学絞りの断面図である。
【図３】実施形態における可変光学絞りの断面図である。
【図４】アクティブマトリクス層の斜視図である。
【図５】ゴーストを抑制できる原理を示す図である。
【図６】制御系のブロック図である。
【図７】処理の手順の一例を示すフローチャートである。
【図８】近視眼の場合の仮測定と本測定における波面検出光の光束の状態を示す図である。
【図９】遠視眼の場合の仮測定と本測定における波面検出光の光束の状態を示す図である。
【発明を実施するための形態】
【００１８】
（全体の概要）
【００１９】
眼科装置１００は、被検眼の屈折情報を計測する。被検眼で生じる屈折の情報は、例えば眼鏡やコンタクトレンズの処方、更には眼内レンズを選択する際に利用される。眼科装置１００は、固視投影系１０、前眼部観察系２０、波面計測投影系３０、波面計測検出系４０を備えている。
【００２０】
固視投影系１０は、被検眼１０１の収差の情報を取得する際に、被検眼１０１が見つめる固視標１１を備えている。固視票１１は、遠方の風景などの画像であり、光軸に沿って移動可能であり、被検眼を雲霧視状態とする。固視票１１は、裏面から白色光源で照明される表示パターンやＬＣＤ等の表示装置により構成される。固視投影系１０は、結像レンズ１２、フィールドレンズ１３およびミラー１４を備えている。固指標１１は、近用調節状態の眼屈折力を測定する場合は任意の有限距離に光学的に指標像を呈示する位置に移動する。
【００２１】
ダイクロイックミラー１０４は、固視投影系１０で利用する可視光（波長４００〜７８０ｎｍ）、および波面計測に利用する波長８５０ｎｍ近傍の光を反射し、前眼部観察で使用する近赤外光（波長９５０ｎｍ）の光を透過する。ダイクロイックミラー１０５は、固視投影系１０で利用する可視光（波長４００〜７８０ｎｍ）の光を透過し、波面計測に利用する波長８５０ｎｍ近傍の光を反射する。
【００２２】
前眼部観察系２０は、近赤外光（波長９５０ｎｍ）を用いて被検眼１０１の前眼部（例えば、虹彩や瞳孔）を観察する。また、前眼部観察系２０は角膜形状計測光学系も兼ねている。プラチド板１０２の裏面に配置された図示省略したＬＥＤから波長９５０ｎｍの光が被検眼１０１に照射され、この照射光は被検眼１０１の角膜で反射される。この反射光（前眼部反射光）は、対物レンズ１０３を介して、ダイクロイックミラー１０４に入射し、そこを透過する。プラチド板１０２は、多重のリング状の透過パターンを有した光学マスクであり、角膜により反射したプラチドリング像をエリアセンサ２５で撮像、解析することで、角膜形状の測定が行われる。
【００２３】
ダイクロイックミラー１０４を透過した波長９５０ｎｍの前眼部反射光は、光学絞りであるテレセン絞り２１、ハーフミラー２２、リレーレンズ２３、結像レンズ２４を通ってエリアセンサ２５に入射する。エリアセンサ２５は、ＣＣＤイメージセンサやＣＭＯＳイメージセンサであり、被検眼１０１の前眼部の画像を撮像し、その画像データを出力する。
【００２４】
前眼部観察系２０は、アライメント処理（被検眼１０１の位置合わせ）を行う際に利用されるＸＹ輝点２６およびリレーレンズ２７を有する。ＸＹ輝点２６は、ＬＥＤにより構成されている。ＸＹ輝点２６からの光束は、ハーフミラー２２にて前眼部観察系２０に合成され、対物レンズ１０３を介して略平行光束として被検眼１０１を照明する。被検眼１０１の角膜で反射した光束はプルキンエ像を生じ、プルキンエ像は前眼部観察系２０を経てエリアセンサ２５に結像する。そのプルキンエ像の像位置がエリアセンサ２５上の規定の位置となるように被検眼１０１に対して眼科装置１００の位置が調整される。また、プルキンエ像のピントが合うように被検眼角膜と装置１００の距離を調整する。距離の調整は既知であるこのほかの方法が用いられても良い。
【００２５】
波面計測投影系３０は、被検眼１０１の屈折の状態を検出するための測定光を被検眼に投影する。波面計測投影系３０は、ＳＬＤ（Super luminescent diode）等により構成された光源３１を備えている。光源３１は、眼底１０１ａの眼底共役位置にとなる配置されている。被検眼１０１の屈折力によって眼底共役位置は変化するので、被検眼１０１の屈折力に応じて光源３１の光軸上における位置が調整できるようになっている。
【００２６】
光源３１から発せられた波面測定光は、リレーレンズ３２および偏光板３３を介して偏光ビームスプリッター３４に入射する。この例では、偏光板３３はｐ偏光を透過し、偏光ビームスプリッター３４は、ｐ偏光を反射、ｓ偏光を透過する設定となっている。偏光板３３を透過したｐ偏光成分の波面測定光は、偏光ビームスプリッター３４でロータリープリズム３５の方向に反射される。
【００２７】
ロータリープリズム３５は、投影系３０と検出系４０の共通の光路に配置する回転するプリズムであり、ハルトマン画像の取り込み(１フレーム)中に複数周回転する。回転により眼底上の照射位置をわずかにずれた像を平均化でき、スペックルノイズを低減し、眼底上の部位による反射率のムラによる測定値のバラツキを低減できる。ロータリープリズム３５を通過した波面測定光は、ダイクロイックミラー１０５で反射され、さらにダイクロイックミラー１０４で反射されて対物レンズ１０３に入射する。
【００２８】
対物レンズ１０３を透過した波面測定光は、プラチド板１０２の中心に設けられた孔を通過し、被検眼１０１の眼底１０１ａに集光して照射される。眼底１０１ａに照射される波面測定光は、ｐ偏光であるが、眼底１０１ａで反射される際に散乱反射されるので、偏光が乱れ、その反射光である波面検出光にはｓ偏光が含まれる。また、波面検出光は、被検眼１０１内で屈折し、被検眼１０１内の収差の影響を受けている。
【００２９】
ｓ偏光を含む波長８５０ｎｍの波面検出光は、波面測定光と逆の経路をたどり、偏光ビームスプリッター３４に入射する。偏光ビームスプリッター３４は、ｓ偏光を透過する設定なので、波面検出光は、偏光ビームスプリッター３４を透過し、波面計測検出系４０に入射する。
【００３０】
波面計測検出系４０は、フィールドレンズ３６、ミラー４１、リレーレンズ４２、可変光学絞り４３、コリメータレンズ４４、ハルトマン板４５およびエリアセンサ４６を備えている。可変光学絞り４３は、光軸を中心とする円形の透過領域と、環状の非透過領域とを有し、透過領域の径を可変できる。可変光学絞り４３の詳細については後述する。
【００３１】
ハルトマン板４５は、格子状のレンズアレイであり、入射光を６×６や９×９といった格子状に配列した複数の光束に分割する。高次収差を検出するためには１７個以上のレンズアレイがのぞましい。波面検出光がハルトマン板４５を通過することで、ハルトマン像が得られ、このハルトマン像がエリアセンサ４６で検出される。エリアセンサ４６で検出されるハルトマン像を解析することで、被検眼１０１で生じる屈折の状態に関する情報、すなわち被検眼１０１の屈折特性が得られる。
【００３２】
可変光学絞り４３、コリメータレンズ４４、ハルトマン板４５およびエリアセンサ４６は、一体化され、光学系４７を構成している。光学系４７は、アクチュエータによって駆動され、光軸上を移動可能である。可変光学絞り４３はコリメータレンズ４４の前側焦点位置に配置され、エリアセンサ４６はハルトマン板４５のアレイレンズの焦点位置に配置される。ハルトマン板４５は被検眼瞳孔と共役な位置となる。被検眼１０１からの波面検出光の波面情報を測定する際は、可変光学絞り４３の光透過孔(絞り孔)の位置が被検眼１０１の眼底共役位置となるように、光学系４７の光軸上における位置が調整される。可変光学絞り４３の位置が眼底共役位置となるようにする光学系４７の位置を調整は、エリアセンサ４６が検出するハルトマン像の格子状の点像の間隔が規定の間隔になるように、光軸上における光学系４７の位置を調整することで行われる。固指標１１、測定光源３１、光学系４７はリンクして移動する構成になっていても良い。
【００３３】
（可変光学絞り）
（例１）
図２には、可変光学絞り４３の断面構造が示されている。光軸の方向から見た可変光学絞り４３の形状は、円形の外観を有している。可変光学絞り４３は、一対のガラス基板１２１と１２２を用いて構成されている。下側のガラス基板１２１上には、透明電極１２３と高誘電フィルム１２４が積層されている。透明電極１２３としては、ＩＴＯ膜が用いられ、高誘電フィルム１２４としては、例えばPVdF（ポリフッ化ビニリデン）やPTFE（ポリテトラフルオロエチレン）が用いられる。高誘電フィルム１２４に接して撥水膜１２５が配置されている。撥水膜１２５は、撥水性を有する膜で、例えばテフロンAF(登録商標)やサイトップ(登録商標)が用いられる。
【００３４】
撥水膜１２５に接してリング部材１２６が配置されている。リング部材１２６は、リング状の部材で、撥水膜１２５と高誘電膜１２７に接し、その内側に内部空間１２８が形成されている。上側の高誘電膜１２７は、上側の透明導電膜（ＩＴＯ膜）１２９に接し、透明導電膜１２９は上側のガラス基板１２２に接している。透明導電膜１２３と１２９は、光学部材として有効に働く領域の全面に一様に設けられている。リング部材１２６の周囲は、封止材１３０により封止され、内部空間１２８を密閉空間としている。
【００３５】
高誘電膜１２７の内部空間１２８の側には、親水膜１３１が配置されている。親水膜１３１は、親水機能を有する膜で、例えばトリシラノールやシリカなどの無機分散体により構成されている。内部空間１２８は、黒色の色素を含んだ黒い有極性液１３２と、透明な無極性のオイル１３３で満たされている。有極性液１３２の具体的な例としては、水やメタノール等が挙げられる。
【００３６】
各部の寸法としては、一例であるが、有効面の寸法が直径５ｍｍ〜１０ｍｍ程度の円形、ガラス基板１２１，１２２の厚みが０．１〜０．５ｍｍ、高誘電フィルム１２４の厚みは０．３〜５μｍ、撥水膜１２５の厚みは数〜５００ｎｍ、内部空間の高さ（撥水膜１２５と親水膜１３１との間の距離）が０．１〜５ｍｍ、高誘電膜１２７の厚みが０．３〜５μｍ、親水膜１３１の厚みが数〜５００ｎｍ、透明導電膜（ＩＴＯ膜）１２３，１２９の厚みが１０〜２００ｎｍが採用される
【００３７】
図４には、透明電極１２３と透明電極１２９との間に電圧を加えた状態が示されている。この場合、黒色の有極性液１３２が電極間の方向（図の上下方向）に分布しようとするので、行き場のない透明なオイル１３３が中央に集まり、また厚みが厚くなって水滴状になり、中央部分に光が透過する絞り孔が形成される。印加する電圧を変化させると、透明なオイル１３３の水滴状の形状が変化し、中央の絞り孔の径（絞り径）が変化する。例えば、透明電極１２３と透明電極１２９との間に加える電圧を図２の場合よりも高くすると、有極性液１３２の集合状態が強くなり、オイル１３３がより中央に集中するので、図３に示す状態となり、中央の絞り孔の径は大きくなる。なお、印加電圧を下げてゆくと、絞り孔の径は徐々に小さくなり、最終的に絞り孔は消失する。具体的な絞り孔の径の値は、光源の種類、波長、光学系の構成、レンズの種類等によって異なるので、装置の種類ごとに異なるが、例えば１００μｍ〜５ｍｍ程度である。
【００３８】
（例２）
透明電極１２３の代わりにアクティブマトリクス電極層を用いることもできる。図４は、ガラス基板１２１上に形成されたアクティブマトリクス電極層１２３ａを矩形に切り取った状態の斜視イメージ図である。アクティブマトリクス電極層１２３ａは、マトリクス状に配置されたＩＴＯ膜で構成された複数の画素電極、各画素に配置された薄膜トランジスタ（ＴＦＴ）、薄膜トランジスタを駆動する周辺駆動回路を備えている。これらの技術は、アクティブマトリクス型の液晶ディスプレイの技術を応用している。
【００３９】
アクティブマトリクス電極層１２３ａは、マトリクス状に配置された複数の画素のそれぞれを独立に制御できる。この場合、電圧が加わっている領域（周辺部以外の領域）に有極性液が集まり、電圧が加わっていない領域（周辺部の領域）にオイルが押し出されて集まるので、印加電圧の分布を調整することで、絞り孔の径を調整可能な可変光学絞りを得ることができる。
【００４０】
（ゴースト抑制の原理）
図５にゴーストを抑制できる原理を示す。眼底１０１ａからの反射光である波面検出光の集光位置（眼底共役位置）と対物レンズ１０３からの反射光の集光位置は、反射位置が異なるのでずれている。このことを利用し、眼底共役位置に可変光学絞り４３を配置する。
【００４１】
眼底共役位置では、波面検出光の光束径が最小となっているので、絞り径を絞った可変光学絞り４３の絞り孔を波面検出光は損失なく（あるいは極めて低い損失で）通過する。他方において、眼底共役位置におけるゴーストの光束は、広がっているので、絞り径を絞った可変光学絞り４３で大部分が遮られる。この結果、エリアセンサ４６に入力するゴーストの強度が低下し、エリアセンサ４６で検出されるハルトマン像へのゴーストの影響が低減される。
【００４２】
（絞り径の可変）
後述するように、本測定の前の仮測定において、光学系４７は、正視眼に対応した位置に仮設定される。この状態では、正視眼の眼底共役位置に可変光学絞り４３が位置する（図５参照）。ここで、ゴーストの影響を抑えるために可変光学絞り４３の絞り径が小さく設定されているとする。この場合、被検眼１０１が正視眼であれば、特に問題が生じない。しかしながら、被検眼１０１が近視眼または遠視眼の場合、眼底共役位置が図５の位置ではなく、図８（近視眼）または図９（遠視眼）の位置となるので、可変光学絞り４３の位置での波面検出光の光束径が広がり、可変光学絞り４３を通過できない波面検出光の成分が発生する。
【００４３】
仮測定は、光学系４７の移動量の決定を行うために行われるが、可変光学絞り４３を通過できない波面検出光の成分があると、仮測定に必要な情報が得られず、その後の処理に不具合が生じる可能性が増大する。
【００４４】
そこで、仮測定の段階では、可変光学絞り４３の絞り径を大きめに設定しておき、図８（近視眼）または図９（遠視眼）の場合でも波面検出光の損失が生じないようにし、仮測定で必要な情報が得られるようにする。そして、光学系４７の移動後の本測定時に可変光学絞り４３の絞り径を小さく（眼底共役位置での波面検出光の光束が通過できる径）設定し、ゴーストの影響を排除する。仮測定および本測定における可変光学絞り４３の絞り径は、予め理論的および実験的に調べておいた値が利用される。
【００４５】
（制御系の構成）
図６に眼科装置１００の制御系の一例を示す。図６には、制御系２００が示されている。制御系２００は、ＣＰＵ、メモリ、各種のインターフェース、通信機能を有し、マイコンとして機能する。また、制御系２００は、必要に応じて専用のハードウェア（例えば、画像処理の集積回路）を備えている。
【００４６】
機能部として見て、制御系２００は、絞り径制御部２０１、光学系駆動制御部２０２、波面測定部２０３を備えている。これらの機能部は、ソフトウェア的に構成されていてもよいし、ＦＰＧＡ等を利用した専用ハードウェアで構成されていてもよい。
【００４７】
絞り径制御部２０１は、可変光学絞り４３の絞り径の調整を行う。光学系駆動制御部２０２は、光学系４７の光軸上における位置の調整を行う。波面測定部２０３は、乱視判定部２０４を備えている。
【００４８】
乱視判定部２０４は、エリアセンサ４６が検出したハルトマン像に基づき、乱視の有無を判定する。乱視の有無の判定は、以下のようして行われる。まず、正視眼に対応した基準位置において、眼底１０１ａからの反射光（波面検出光）を検出する。この際、エリアセンサ４６は、ハルトマン板４５を通過することで得られる格子状の輝点（ハルトマン像）を検出する。乱視があると、ハルトマン像に非対称性が生じる。この非対称性の程度を閾値で判定することで、乱視の有無の判定が行われる。
【００４９】
図示省略するが、波面測定部２０３は、エリアセンサ４６が検出したハルトマン像を解析し、被検眼１０１の屈折の状態、すなわち被検眼１０１を矯正するために必要なＳ、Ｃ、Ａ値及び高次収差値を測定する。この測定値は、被検眼１０１に関する各種の診察や診断、眼鏡やコンタクトレンズの処方、眼内レンズを選択する際等に利用される。
【００５０】
（処理の一例）
可変光学絞り４３の制御に係る処理の一例を説明する。図７は、処理の手順の一例を示すフローチャートである。図７の処理を実行するプログラムは、適当な記憶領域や記憶媒体に記憶され、制御系２００により実行される。
【００５１】
処理が開始されると、まず前眼部観察系２０を用いた被検眼１０１に対する眼科装置１００の相対位置の調整（アライメント）が行われる（ステップＳ１０１）。次に、正視眼（Ｄ値＝０）における眼底共役位置に可変光学絞り４３が位置するように光学系４７の位置の設定が行われる（ステップＳ１０２）。また、ステップＳ１０２に対応して、可変光学絞り４３の絞り径を大径に設定する（ステップＳ１０３）。この際の絞り径の値は、予め定めておいた値が採用される。ステップＳ１０３で選ばれる絞り径は、想定される最も強度の近視眼および遠視眼である場合に、少なくとも仮の低次収差値（Ｓ、Ｃ、Ａ値）の測定に充分な波面検出光が通過できる径に設定される。
【００５２】
この段階で仮測定を行い被検眼１０１からの波面検出光に基づくハルトマン像を測定する（ステップＳ１０４）。このハルトマン像を解析することで、被検眼の球面屈折力Ｓおよび乱視屈折力Ｃの情報が得られる。ここで、乱視の程度が規定以上であるか否か、により判定される（ステップＳ１０５）。
【００５３】
乱視でないと判定された場合、光学系４７を移動させ、眼底共役位置に可変光学絞り４３およびエリアセンサ４６が位置するように調整する（ステップＳ１０６）。被検眼の球面屈折力と光学系４７の移動量の関係は光学系の設計により決まるため、ステップＳ１０４の仮測定結果に基づき、ステップＳ１０６における光学系４７の移動を行う。なお、被検眼１０１が正視眼（Ｄ値＝０）である場合は、ステップＳ１０６での光学系４７に移動はない。
【００５４】
ステップＳ１０６の後、可変光学絞り４３の絞り径を最小（例えば、０．５ｍｍ）に設定し（ステップＳ１０７）、波面検出光の波面測定を行う（ステップＳ１１０）。この波面測定によって、被検眼１０１の屈折の状態の測定が行われる。この際の絞り径の値は、予め定めておいた値が採用されてもよいし、被検眼の屈折力に応じてあらかじめ定めてある値としても良い。これは光源サイズと眼底への光源像の投影倍率、眼底の光源像の前記共役位置への投影倍率によって決定される。ステップＳ１０７で選ばれる絞り径は、収束した波面検出光が通過できる最小の値が選択される。ステップＳ１１０では、可変光学絞り４３の絞り径が最小に設定され、対物レンズ１０３からの反射に起因するゴーストの影響が最小に抑えられているので、精度のより波面測定が行わる。
【００５５】
ステップＳ１０５において、乱視の程度が規定以上と判定された場合、ステップＳ１０５からステップＳ１０８に進み、可変光学絞り４３の位置が等価球面度数の位置にくるように光学系４７を位置の調整が行われる（ステップＳ１０８）。この場合、乱視があるので、波面検出光の集光位置は、直交する２軸（強主経線方向および弱主経線）において異なり、可変光学絞り４３の位置は、その中間の位置となる。よって、可変絞り４３位置は光束の最小錯乱円の位置になるため、この位置でのスポット径は大きくなり、可変光学絞り４３の絞り径が最小の設定（乱視なしの場合の最小設定値）では、光束の外周部が絞り孔を通過できない。そこで、可変光学絞り４３の絞り径を少し大きめに設定する（ステップＳ１０９）。乱視を考慮したステップ１０９における絞り径は、乱視の程度に対応した値を予め調べておき、その値を使用する。ステップＳ１０９の後、ステップＳ１１０に進み、本測定を行う。なお、光学径４７を本測定位置に移動後、絞り径を既定の径の前後で大きさを変化させてハルトマン像を得、点像のケラレ具合を確認しケラレが無いよう微調整を行ってもよい。
【００５６】
（優位性）
被検眼１０１が近視眼の場合、正視眼に比較して、眼底共役位置がリレーレンズ４２に近い位置に移動する（図８参照）。この場合、ステップＳ１０４の仮測定時における波面検出光の可変光学絞り４３の位置における光束径は、眼底共役位置でないので大きい。
【００５７】
ここで、仮に可変光学絞り４３の絞り径が眼底共役位置仕様（つまり、波面検出光の光束径が最小の場合に対応した最小の絞り径に設定）であると、波面検出光の多くが可変光学絞り４３で遮蔽され、エリアセンサ４６上にハルトマン像が形成されない（あるいは、情報が欠落した不完全な状態となる）。この場合、ステップＳ１０５の判定を行うのに必要な情報が得られず、ステップＳ１０５以下の処理に進めず、エラーとなる可能性が増大する。
【００５８】
しかしながら、図７の処理では、ステップＳ１０３において、可変光学絞り４３の絞り径を大きく設定しているので、近視眼であってもステップＳ１０４の仮測定時にハルトマン像を得るのに十分な波面検出光が可変光学絞り４３を通過する。このため、ステップ１０５以下の処理がエラーとならず、本測定へと進める。
【００５９】
また、被検眼１０１が遠視眼である場合、正視眼に比較して、眼底共役位置がリレーレンズ４２から遠い位置に移動する（図９参照）。この場合も、ステップＳ１０４の仮測定時における波面検出光の可変光学絞り４３の位置における光束径は、眼底共役位置でないので大きい。
【００６０】
ここで、仮に可変光学絞り４３の絞り径が眼底共役位置仕様であると、図８の場合と同様に、波面検出光の多くが可変光学絞り４３で遮蔽され、ステップＳ１０５以下の処理がエラーとなる可能性が増大する。
【００６１】
しかしながら、図７の処理では、ステップＳ１０３において、可変光学絞り４３の絞り径を大きく設定しているので、遠視眼であってもステップＳ１０４の仮測定時にハルトマン像を得るのに十分な波面検出光が可変光学絞り４３を通過する。このため、ステップ１０５以下の処理がエラーとならず、本測定へと進める。
【００６２】
そして、ステップＳ１０７において、絞り径を眼底共役位置仕様（光束が最も絞られた場合に対応する径）にしているので、ステップＳ１１０の本測定におけるゴーストの影響が抑制される。
【符号の説明】
【００６３】
１０…固視投影系、１１…固視票、１２…結像レンズ、１３…フィールドレンズ、１４…ミラー、２０…前眼部観察系、２１…テレセン絞り、２２…ハーフミラー、２３…リレーレンズ、２４…結像レンズ、２５…エリアセンサ、２６…ＸＹ輝点、２７…リレーレンズ、３０…波面計測投影系、３１…光源、３２…リレーレンズ、３３…偏光板、３４…偏光ビームスプリッター、３５…ロータリープリズム、３６…波面計測検出系におけるフィールドレンズ、４０…波面計測検出系、４１…ミラー、４２…リレーレンズ、４３…可変光学絞り、４４…コリメータレンズ、４５…ハルトマン板、４６…エリアセンサ、４７…光軸上を移動可能な光学系、１００…眼科装置、１０１…被検眼、１０１ａ…眼底、１０２…プラチド板、１０３…対物レンズ、１０４…ダイクロイックミラー、１０５…ダイクロイックミラー、１２１…ガラス基板、１２２…ガラス基板、１２３…透明導電膜、１２３ａ…アクティブマトリクス電極層、１２４…高誘電フィルム、１２５…撥水膜、１２６…リング部材、１２７…高誘電膜、１２８…内部空間、１２９…透明導電膜、１３０…封止材、１３１…親水膜、１３２…黒色の有極性液、１３３…透明なオイル。
【図１】
2018042646.tif 000003
【図２】
2018042646.tif 000004
【図３】
2018042646.tif 000005
【図４】
2018042646.tif 000006
【図５】
2018042646.tif 000007
【図６】
2018042646.tif 000008
【図７】
2018042646.tif 000009
【図８】
2018042646.tif 000010
【図９】
2018042646.tif 000011